(57)【要約】      （修正有）【課題】ディスプレーの位置を安定的に固定することができるディスプレー固定装置を提供する。【解決手段】ディスプレー固定装置は固定台１及び接合部品２を備え、固定台１の底部は結合面を備え、固定台１の片側には圧迫固定部１２を突出状に設置し、接合部品２は樹脂層又は吸盤で、結合面１１に設置して結合し、接合部品２と圧迫固定部１２との間には垂直の位置限定距離を形成し、接合部品２をディスプレーのベースの側縁近傍に接着し、圧迫固定部１２によりディスプレーのベース上表面において圧迫して押さえ、外力によりディスプレーの横転を回避でき、ディスプレー設置時の安全性を効果的に高めることができる。固定台１は更に相互に対応して結合する圧迫固定部品と底台とからなり、螺合又は係合等方式により、その位置限定距離を適当に調整でき、これにより適用性を拡大する実用効果を達成することができる。【選択図】図２
0003169570.tif 000002
【実用新案登録請求の範囲】
【請求項１】
ディスプレー固定装置は、固定台、接合部品を備え、
前記固定台の底部には結合面を備え、前記固定台片側には圧迫固定部を突出状に設置し、
前記接合部品は前記結合面に設置して結合し、前記接合部品と前記圧迫固定部との間には位置限定距離を形成することを特徴とするディスプレー固定装置。
【請求項２】
前記接合部品は樹脂層又は吸盤からなることを特徴とする請求項１に記載のディスプレー固定装置。
【請求項３】
前記圧迫固定部の底部周縁には少なくとも１個の軟質部品を設置することを特徴とする請求項１に記載のディスプレー固定装置。
【請求項４】
ディスプレー固定装置は、固定台、接合部品を備え、
前記固定台は圧迫固定部品と底台を備え、前記圧迫固定部品の底部には凸部を設置し、前記底台の外周縁は前記圧迫固定部品より小さく、前記底台の頂点部には溝孔を設置し、前記溝孔に前記凸部を対応させて結合し、前記底台の底部には結合面を備え、
前記接合部品は前記結合面に設置して結合し、前記接合部品と前記圧迫固定部品との間には位置限定距離を形成することを特徴とするディスプレー固定装置。
【請求項５】
前記接合部品は樹脂層又は吸盤からなることを特徴とする請求項４に記載のディスプレー固定装置。
【請求項６】
前圧迫固定部品の底部周縁には少なくとも１個の軟質部品を設置することを特徴とする請求項４に記載のディスプレー固定装置。
【請求項７】
前記凸部は外ネジヤマ部分を備えることを特徴とする請求項４に記載のディスプレー固定装置。
【請求項８】
前記溝孔は、内ネジヤマ部分を備えることを特徴とする請求項７に記載のディスプレー固定装置。
【請求項９】
前記凸部には横方向に軸心を貫通する開溝を開設し、前記開溝の両側には対応する２個の棒状突起を形成し、
前記棒状突起の外側縁には少なくとも１個の歯部を設置することを特徴とする請求項４に記載のディスプレー固定装置。
【請求項１０】
前記溝孔の内壁には軸方向に沿って前記歯部に対応する数個の歯溝を設置することを特徴とする請求項９に記載のディスプレー固定装置。
【考案の詳細な説明】
【技術分野】
【０００１】
本考案は固定装置に関し、特にディスプレーの位置を安定的に限定可能なディスプレー固定装置に関する。
【背景技術】
【０００２】
ＩＴ産業の勃興に従い、さまざまなタイプの電子製品が絶えず開発されている。コンピューターのディスプレーとテレビでは、従来のCRTには、解析度が良くなく、しかも体積が大きいという欠点があったが、今では薄型のディスプレー(LCD或いはLEDバックライト液晶ディスプレー等)に取って代わられている。しかも、パネル産業の急速な発展に支えられ、薄型ディスプレーの市場範囲、製品規格、及びサイズはどれもますます大きくなっている。同サイズであれば、薄型ディスプレーの体積はCRTに比べ大幅に減っているが、パネルサイズが大きくなればなるほど、ディスプレーの重心は上方へと移動する。そのため、ディスプレーのベースの設計が不良、或いは安定性が不十分であれば、不注意での接触、幼児がよじ登る、或いは地震の揺れ等の状況により横転する恐れがあり、安全における不安と財産上の損失を招いてしまう。
【０００３】
横転状況の発生を回避するため、一般的には、ディスプレーを設置する地点を慎重に選択し、或いは透過ロープにクランプクギを対応させ、背面固定方式で、ディスプレーを引っ張り、壁に定位する。さらには、ネジにより、ディスプレーのベースを卓上或いはキャビネット上に直接固定することもある。しかし、この種の解決方案には、さまざまなに制限を加える条件が存在し、しかも構造を破壊し全体の美観に悪影響を及ぼすため、改良の必要がある。
本考案は、従来のディスプレー固定方案の上記した欠点に鑑みてなされたものである。
【考案の概要】
【考案が解決しようとする課題】
【０００４】
本考案が解決しようとする課題は、外力により容易に横転が生じるという従来のディスプレーの設置状態に存在する欠点を克服することができ、ディスプレーの位置を限定し、安定した設置を達成することができるディスプレー固定装置を提供することである。
【課題を解決するための手段】
【０００５】
上記課題を解決するため、本考案のディスプレー固定装置は、固定台及び接合部品を備え、該固定台底部には、結合面を備え、該固定台片側には、圧迫固定部を突出状に設置し、該接合部品は、樹脂層或いは吸盤で、該結合面に設置して結合し、該接合部品と該圧迫固定部との間には、垂直の位置限定距離を形成し、該固定台はさらに、相互に対応して結合する圧迫固定部品及び底台とでき、螺合或いは係合等方式により、その位置限定距離を適当に調整でき、こうして各式ディスプレーのベースに適用でき、該圧迫固定部と該圧迫固定部品底部周縁には共に、軟質部品を設置し、これによりディスプレーのベース上表面を圧迫して押さえる時、摩擦を減らし、緩衝及び滑り止めの効果を提供することができる。
【考案の効果】
【０００６】
考案のディスプレー固定装置により、ディスプレーを、テーブル面、或いはテレビ台などの平面上に安定的に固定させることができ、これにより子供が遊ぶ、或いは幼児がよじ登る等による衝突、不注意での接触、或いは地震の揺れ等の外部要因による横転を予防でき、こうして維持、修理の費用、或いは幼児に危険が及ぶ恐れを低下させることができ、さらには人員が怪我を負う等の危険な状況が発生する確率を引き下げることができる。本考案の外形は、規則的な円形或いは方形等幾何形状に限定するものではなく、不規則外形とすることもできるため、室内インテリア設計に合わせて、明確な美観効果を達成することができる。本考案は構造がシンプルで、不注意で横転し易いという従来のディスプレー設置における欠点を防止、及び解決することができる。
【図面の簡単な説明】
【０００７】
【図１】本考案の立体図である。
【図２】本考案仰視角度の立体分解図である。
【図３】本考案の前視断面図である。
【図４】本考案接合部品の別種の実施形態の立体模式図である。
【図５】本考案の実施状態図である。
【図６】本考案第一実施例の立体分解図である。
【図７】図６に示す組立状態の断面図である。
【図８】本考案第二実施例の立体分解図である。
【図９】図８に示す組立状態の右視断面図である。
【図１０】図８に示す組立状態の前視断面図である。
【図１１】本考案第二実施例の実施状態図である。
【図１２】図１１に示すディスプレーのベースの上視模式図である。
【図１３】図１２中のA-A位置における断面図である。
【図１４】本考案第三実施例の立体分解図である。
【図１５】本考案別種の実施例固定台の立体分解図である。
【考案を実施するための形態】
【０００８】
以下に図面を参照しながら本考案を実施するための最良の形態について詳細に説明する。
【実施例１】
【０００９】
図１乃至図３に示すように、本考案ディスプレー固定装置は、固定台1及び接合部品2を備える。該固定台1の底部には、結合面11を備え、該固定台1片側には、圧迫固定部12を突出状に設置する。該接合部品2は、両面テープのような樹脂層で、また吸盤2a(図４参照)とすることもできる。該接合部品2は、該結合面11に設置して結合し、該接合部品2と該圧迫固定部12との間には、垂直の位置限定距離dを形成する。該圧迫固定部12はさらに、その底部周縁に、少なくとも１個の軟質部品111を設置する。該軟質部品111は、ゴム、フランネル或いはスポンジ等の軟性材質により製造し、緩衝、滑り止め、傷防止の効果を提供する。
【００１０】
図５に示すように、本考案の使用時には、該接合部品2をディスプレーのベース4側縁の近くに接着し、該圧迫固定部12により、ディスプレーのベース4上表面において圧迫し押さえるだけで、外力によるディスプレーの横転を防止可能で、ディスプレー設置時の安全性を効果的に高めることができる。
【００１１】
図６と図７に示すように、本考案の第一実施例では、該固定台1をさらに、組合式の固定台3とする。該固定台3は、圧迫固定部品31及び底台32を備え、該圧迫固定部品31底部には、外ネジヤマ部分を備える凸部311を設置する。該底台32の外周縁は、該圧迫固定部品31より小さく、該底台32頂点部には、内ネジヤマ部分を備える溝孔321を設置し、これに該凸部311を対応させて螺合する。該底台32底部には、結合面322を備え、該接合部品2は、該結合面322に設置して結合する。この構造により、該圧迫固定部品31と該接合部品2との間に形成する位置限定距離d1を実際のニーズに応じて、適当に調整することができる。
【実施例２】
【００１２】
図８乃至図１３に示すように、本考案の第二実施例は、固定台3a及び接合部品2を備える。該固定台3aは、圧迫固定部品31a及び底台32aを備える。該圧迫固定部品31a底部には、凸部311aを設置し、該凸部311aには、横方向に軸心を貫通する開溝312aを開設する。該開溝312a両側には、対応する２個の棒状突起313aを形成する。該棒状突起313a外側縁には、少なくとも１個の歯部314aを設置する。該底台32aの外周縁は、該圧迫固定部品31aより小さく、該底台32a頂点部には、溝孔321aを設置する。該溝孔321a内壁には、軸方向に沿って、該歯部314aに対応する数個の歯溝323aを設置する。これにより、該歯部314aは対応して係合され、該接合部品2は、該底台32a底面に設置して結合する。
【００１３】
この構造では、該歯部314aと該歯溝323aの相互係合の方式により、該圧迫固定部品31aと該接合部品2との間に形成する位置限定距離d2を調整する。また、該圧迫固定部品31a底部周縁には、少なくとも１個の軟質部品111aを環状に設置することができる(図１３参照)。これにより、弧状面を備えるディスプレーのベース4a等の違った設計にも適用することができ、また該ディスプレーのベース4a上表面を圧迫して押さえる時に、摩擦により傷が付く恐れを減らし、緩衝及び滑り止めの効果を提供することができる。
【実施例３】
【００１４】
図１４に示すように、本考案の第三実施例は、上記した実施例を簡単に変化させたもので、固定台3b及び接合部品2bを備える。該固定台3bは、圧迫固定部品31bを備え、該圧迫固定部品31bは、外形に近似した底台32bを結合する。さらに、該底台32b底面には、該底台32bと同外形の接合部品2bを結合し、これにより使用時の美観効果を高めることができる。また、該圧迫固定部品31bの中心に近い位置にはさらに、ツイスト部315bを設置する。それは、ダイヤル状を呈し、使用者が、該圧迫固定部品31bと該底台32bとを固定して結合する時、施力が容易となる。
【００１５】
図１５に示すように、本考案の別種の実施例は、固定台3cを備える。該固定台3cは、方形圧迫固定部品31c及び方形底台32cを組み合わせて形成する。これは、本考案外形の簡単な変化で、本考案が任意の固定形状に限定されるものではないことを示しており、幾何形状或いは不規則形状とすることもでき、これにより室内インテリア設計と相互に協調させる目的を達成することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
1・・・固定台、11・・・結合面、111・・・軟質部品、111a・・・軟質部品、12・・・圧迫固定部、2・・・接合部品、2a・・・吸盤、2b・・・接合部品、3・・・固定台、3a・・・固定台、3b・・・固定台、3c・・・固定台、31・・・圧迫固定部品、31a・・・圧迫固定部品、31b・・・圧迫固定部品、31c・・・圧迫固定部品、311・・・凸部、311a・・・凸部、312a・・・開溝、313a・・・棒状突起、314a・・・歯部、315b・・・ツイスト部、32・・・底台、32a・・・底台、32b・・・底台、32c・・・底台、321・・・溝孔、321a・・・溝孔、322・・・結合面、323a・・・歯溝、4・・・ディスプレーのベース、4a・・・ディスプレーのベース、d・・・位置限定距離、d1・・・位置限定距離、d2・・・位置限定距離。
【図１】
0003169570.tif 000003
【図２】
0003169570.tif 000004
【図３】
0003169570.tif 000005
【図４】
0003169570.tif 000006
【図５】
0003169570.tif 000007
【図６】
0003169570.tif 000008
【図７】
0003169570.tif 000009
【図８】
0003169570.tif 000010
【図９】
0003169570.tif 000011
【図１０】
0003169570.tif 000012
【図１１】
0003169570.tif 000013
【図１２】
0003169570.tif 000014
【図１３】
0003169570.tif 000015
【図１４】
0003169570.tif 000016
【図１５】
0003169570.tif 000017